(57)【要約】      （修正有）【課題】サーキュレーターが大型化しても、サーキュレーターの俯角を確実に調整することができ、かつ簡単な構成で安価に製造することができるサーキュレーターを提供する。【解決手段】サーキュレーターは、羽根と羽根回転モーターを装着したケース体１０と、ケース体１０を俯角調整部２０で支持する支持体１とを備えている。俯角調整部２０は、外周方向に複数の位置決め係合部２３１ｃを形成した回転軸部２３１と、支持体１に設けられ回転軸部２３１を回転可能に枢支する軸受部２３２と、回転軸部２３１の位置決め係合部２３１ｃに弾性的に係合する可動係合部材２３３とを有している。俯角調整部２０は支持体１に装着される蓋体２３５で覆われており、可動係合部材２３３は蓋体２３５に設けられた押え部２３５ｃにより回転軸部２３１の近傍に押えられている【選択図】図５
2014215034.tif 000002
【特許請求の範囲】
【請求項１】
羽根と羽根回転モーターを装着したケース体と、該ケース体を俯角調整部で支持する支持体とを備えたサーキュレーターにおいて、
前記俯角調整部は、前記ケース体の側部に設けられ外周方向に複数の位置決め係合部を形成した回転軸部と、
前記支持体に設けられ前記回転軸部を回転可能に枢支する軸受部と、
前記回転軸部の位置決め係合部に弾性的に係合する可動係合部材と、を備えており、
前記俯角調整部は、前記支持体に装着される蓋体で覆われるとともに、
前記可動係合部材は、前記蓋体に設けられた押え部により前記回転軸部の近傍に押えられていることを特徴とするサーキュレーター。
【請求項２】
前記軸受部の近傍に前記可動係合部材の収納部を設け、該可動係合部材収納部に、前記回転軸部の位置決め係合部と係合する前記可動係合部材を設けたことを特徴とする請求項１に記載のサーキュレーター。
【請求項３】
前記可動係合部材は、前記回転軸部の前記位置決め係合部に向かって付勢する弾性体を有していることを特徴とする請求項１又は請求項２に記載のサーキュレーター。
【請求項４】
前記可動係合部材の収納部に押えカバーを被せ、該押えカバーを前記蓋体の押え部で押えるようにしたことを特徴とする請求項２又は請求項３に記載のサーキュレーター。
【請求項５】
前記回転軸部に形成される位置決め係合部は円弧状の凹部であり、前記可動係合部材は、前記円弧状の凹部と係合するコイルバネであることを特徴とする請求項１〜請求項４のいずれかに記載のサーキュレーター。
【発明の詳細な説明】
【技術分野】
【０００１】
本発明は、主として室内の空気を撹拌することにより冷暖房効果を高めるためのサーキュレーターに関するものである。
【背景技術】
【０００２】
冷暖房機の使用時に室内の空気を撹拌し、室温を均一にして冷暖房効果を高めるためのサーキュレーターが広く知られている。一般にサーキュレーターは、羽根と電動機を装着したケース本体を、基台の脚部に俯角調整可能に設けた構成となっている。
【０００３】
この俯角調整機構に関して、特許文献１には、羽根を収容するケース本体の側部に設けられケース本体の脚部に挿通するシャフトと、そのシャフトに固定され複数の位置決め穴を設けたブラケットと、ブラケットの位置決め穴に係合して俯角を保持するストッパと、このストッパを位置決め穴に押圧するバネと、このバネとストッパを収容し前記脚部に形成されたストッパ筒と、を備えた俯角調整機構が開示されている。
【０００４】
また特許文献２には、空気清浄機本体を支承部に回転位置調整可能に設けており、円形の第１回転体と第２回転体とを組み合わせ、第１回転体の周縁部に両回転体の相対的回転範囲を規制する弧状切欠部と弧状穴を形成するとともに回転位置設定用の凹所を形成し、第２回転体に第１回転体の弧状切欠部と弧状穴に係合する係合突起をそれぞれ設け、第１回転体の凹所にバネで付勢されたボールを係合させることにより、空気清浄機本体を相対的回転範囲内において、凹所の角度間隔による相対角度の調整を行うようにした回転位置調整機構が開示されている。
【０００５】
しかしながら、特許文献１に開示された俯角調整機構は、サーキュレーターが大型化すると、ブラケットの位置決め穴とその穴に係合するストッパに過大な負荷が掛かって所定の俯角を確実に保持できなくなる心配がある。また、特許文献２に開示された回転位置調整機構は、機構が複雑で部品点数が多くなり、組立作業も面倒であるため製造コストが高くなる、という問題がある。
【先行技術文献】
【特許文献】
【０００６】
【特許文献１】実用新案登録第３１６７６１３号公報
【特許文献２】特開２０００−１８６５４公報
【発明の概要】
【発明が解決しようとする課題】
【０００７】
本発明は、上述したような課題を解決するために提案されたものであり、サーキュレーターが大型化しても、サーキュレーターの俯角を確実に調整することができ、かつ簡単な構成で安価に製造することができるサーキュレーターを提供することを目的とする。
【課題を解決するための手段】
【０００８】
上記課題を解決するため、請求項１に記載の発明にあっては、羽根と羽根回転モーターを装着したケース体と、該ケース体を俯角調整部で支持する支持体とを備えたサーキュレーターにおいて、
前記俯角調整部は、前記ケース体の側部に設けられ外周方向に複数の位置決め係合部を形成した回転軸部と、
前記支持体に設けられ前記回転軸部を回転可能に枢支する軸受部と、
前記回転軸部の位置決め係合部に弾性的に係合する可動係合部材と、を備えており、
前記俯角調整部は、前記支持体に装着される蓋体で覆われるとともに、
前記可動係合部材は、前記蓋体に設けられた押え部により前記回転軸部の近傍に押えられていることを特徴とする。
【０００９】
また請求項２に記載の発明にあっては、前記軸受部の近傍に前記可動係合部材の収納部を設け、該可動係合部材収納部に、前記回転軸部の位置決め係合部と係合する前記可動係合部材を設けたことを特徴とする。
【００１０】
また請求項３に記載の発明にあっては、前記可動係合部材は、前記回転軸部の前記位置決め係合部に向かって付勢する弾性体を有していることを特徴とする。
【００１１】
また請求項４に記載の発明にあっては、前記可動係合部材の収納部に押えカバーを被せ、該押えカバーを前記蓋体の押え部で押えるようにしたことを特徴とする。
【００１２】
また請求項５に記載の発明にあっては、前記回転軸部に形成される位置決め係合部は円弧状の凹部であり、前記可動係合部材はコイルバネであることを特徴とする。
【発明の効果】
【００１３】
請求項１〜５に記載の発明によれば、サーキュレーターが大型化しても、サーキュレーターの俯角を確実に調整することができ、簡単な構成で安価に製造することができる。加えて請求項５に記載の発明によれば、回転軸部の位置決め係合部は円弧状であり、その係合部にコイルバネが係入するため、回転軸部がスムーズに回動し、俯角調整を容易に行うことができる、等の効果が得られる。
【図面の簡単な説明】
【００１４】
【図１】本発明の実施形態を示すサーキュレーターの全体斜視図である。
【図２】同サーキュレーターの全体図を示すもので、（ａ）は平面図、（ｂ）は正面図、（ｃ）は右側面図である。
【図３】同サーキュレーターのケース体の前面パネルの分解斜視図である。
【図４】同じく前面パネルの斜視図である。
【図５】同サーキュレーターの俯角調整部の、蓋体を取り外した状態の分解斜視図である。
【図６】同じく俯角調整部の、蓋体と可動係合部材を取り外した状態の分解斜視図である。
【図７】同じく俯角調整部の蓋体を取り外した状態の正面図である。
【図８】本発明の俯角調整部の別の実施形態を示す、蓋体を取り外した状態の分解斜視図である。
【図９】同じく別の実施形態の俯角調整部の、蓋体と可動係合部材を取り外した状態の分解斜視図である。
【図１０】同じく別の実施形態の、俯角調整部の蓋体を取り外した状態の正面図である。
【発明を実施するための形態】
【００１５】
以下、本発明の実施形態を添付図面に基づいて説明するが、本発明はこれら実施形態に限定されるものではない。図１及び図２は本発明のサーキュレーターの全体図であり、サーキュレーター１００は、支持本体１と、該支持本体１を左右方向（水平方向）に所定角度で旋回可能（首振り可能）に搭載する基台２から構成されている。支持本体１は、底面部が楕円体に形成された筐体部１２と、該筐体部１２の左右両側部に一体に立設された脚部１１を有しており、その脚部１１には、内部に羽根と羽根回転モーター（いずれも図示せず）を装着したケース体１０が、俯角調整部２０において上下方向に回転可能（俯角可能）に支持されている。
【００１６】
支持本体１は合成樹脂材料により全体が略Ｕ字形に成形されており、底面内部にはサーキュレーター本体（ケース体１０）の首振り機構、羽根回転モーターの制御等を行う電気機器が収納されている。なお、筐体部１２の上面中央部には、電源スイッチ、首振りスイッチ、風量変更スイッチ等の各種スイッチボタン２４が並設されている。
【００１７】
ケース体１０は、ポリプロピレン等の合成樹脂材料から外形が略太鼓形に形成されており、略円盤形状の前面パネル１０１と、後部が膨らんだ円盤状の後面パネル１０２とが結合されて構成されている。前面パネル１０１は旋風を発生させるために螺旋状のリブ１０１ａが形成されており、後面パネル１０２には吸い込み抵抗が少なくなるようなリブ１０２ａが形成されている。なお、前面パネル１０１は、耐衝撃性の高い合成樹脂材で形成されている。また、後面パネル１０２の上部には取手部1０２ｂが設けられている。
【００１８】
前面パネル１０１は、図３及び図４に示すように、略椀形の主部パネル１２１と、略リング形の補強パネル１２２から構成されており、主部パネル１２１の前面部に前記螺旋リブ１０１ａが形成されている。主部パネル１２１の前端縁部は外周面部１２１ａの外径よりもやや小径の嵌着部１２１ｂが形成されており、その嵌着部１２１ｂに補強パネル１２２が嵌着される。
【００１９】
具体的には、主部パネル１２１の外周面部１２１ａには、周方向の複数個所に外周面幅方向に伸びるスリット部１２１ｃが形成されており、そのスリット部１２１ｃの先端部にネジ孔１２１ｄが形成されている。また、このスリット部１２１ｃに対応して、補強パネル１２２の内周面部１２２ａには、周方向の複数個所にネジ固定部１２２ｂが形成されている。そして、ネジ固定部１２２ｂとスリット部１２１ｃが一致するように補強パネル１２２を本体パネル嵌着部１２１ｂに嵌着し、スリット部１２１ｃのネジ孔１２１ｄに固定ネジ（図示せず）を挿入し、補強パネル１２２のネジ固定部１２２ｂとネジ止めすることにより、主部パネル１２１と補強パネル１２２を一体に固定している。なお、主部パネル１２１の後端縁部には、周方向の複数個所に、前記後面パネル１０２と係合する係合爪部１２１ｅが形成されている。
【００２０】
このように、主部パネル１２１に補強パネル１２２を固定することにより、前面パネル１０１の前端縁部の強度が高くなり、サーキュレーター１００が大型化して風量が増加しても（強風になっても）、その前面パネル１０１の前端縁部が風圧によって振動し、あるいは螺旋リブ１０１ａとの接合部分等が破損することを防止することができ、前面パネル１０１を通して大風量を安定して送風することができる。
【００２１】
俯角調整部２０は、図５乃至図７に示すように、ケース体１０の後面パネル１０２における外周面部の左右側面部に形成された回転軸部２３１と、支持本体１の左右の支持脚１１の上端部に形成されたリング状の軸受部２３２と、このリング状軸受部２３２を覆う円盤状の蓋体２３５を有している。なお、図５乃至図７では、一方の支持脚１１に設けられた俯角調整部２０を示しているが、他方の俯角調整部２０も同じ構成である。
【００２２】
支持脚１１の上部には円形凹状の軸受収納部２３４が形成されており、その軸受収納部２３４の中央部に前記ケース体１０の回転軸部２３１の挿入孔（図示せず）が開口され、その挿入孔の周縁方向にリング状軸受部２３２が形成されている。リング状軸受部２３２の左右両側部はリブ２３４ｂで補強されている。このリング状軸受部２３２は完全なリング形状である必要はなく、ここでは下端部に切欠部２３２ａが形成されたカットリング形となっている。
【００２３】
リング状軸受部２３２の上部には逆凹状の可動係合部材収納部２３４ａがリング外側に突設するように形成されており、その可動係合部材収納部２３４ａに可動係合部材２３３が収納されている。可動係合部材２３３は、図６に示すように、コイルバネ２３３ａと、そのコイルバネ２３３ａに挿入されるピン形の係合コマ２３３ｂとから成っており、係合コマ２３３ｂはコイルバネ２３３ａによって後述する回転軸部２３１の位置決め係合部２３１ｃ方向に付勢されている。なお、本発明では係合コマ２３３ｂを省略することもできる。
【００２４】
前記回転軸部２３１は、全体が有底円環状のリング形状となっており、円板部２３１ｂと、その外周部に形成されたリング部２３１ａを有している。このリング部２３１ａは、前記リング状軸受部２３２と同軸のリング形であり、リング状軸受部２３２の内部に回転可能に嵌挿される径を有している。リング部２３１ａの外周面には、所定の円弧の長さに複数の凹凸形状の位置決め係合部２３１ｃが連続して形成されており、円板部２３１ｂの、連続した位置決め係合部２３１ｃの一端部近くには、略Ｔ字形の回転規制係止片２３１ｅが突設されている。回転規制係止片２３１ｅは、リング状軸受部２３２の外側に突出し、後述する蓋体リング部２３５ａの内部に入り込むようになっている。また、リング部２３１ａの位置決め係合部２３１ｃの両端縁部近くには、後述する蓋体リング部２３５ａの内面部と接するガイド片２３１ｄ，２３１ｄが形成されている。
【００２５】
前記蓋体２３５は、図５に示すように、裏面部に、前記リング状軸受部２３２と略同外径のリング部２３５ａが形成されており、そのリング部２３５ａの内周面部には、一対の回転規制係止突起２３５ｂが内周方向の離れた位置に対向して形成されている。この回転規制係止突起２３５ｂの形状は任意であるが、ここでは断面略三角形状に形成されている。回転規制係止突起２３５ｂは、前記回転軸受２３１の回転規制係止片２３１ｅと干渉し、回転軸受２３１が時計回り又は反時計回りに所定角度以上、回転しない位置に設けられ、回転軸受２３１の回転範囲の規制がなされている。
【００２６】
また、蓋体２３５の裏面部には、前記可動係合部材収納部２３４ａと対応する位置に、複数の片板から構成される可動係合部材２３３の押え部２３５ｃが突設されている。なお、蓋体２３５の外周面２３５ｄには、前記可動係合部材収納部２３４ａの内縁部に形成された係止溝２３４ｃと係止する複数の係止爪２３５ｅが突設されている。
【００２７】
上述した俯角調整部２０は、ケース体１０の回転軸部２３１のリング部２３１ａが、脚部１１の軸受収納部２３４に形成されたリング状軸受部２３２に内挿されることによりケース体１０が脚部１１に回転可能に支承される。また、軸受収納部２３４に蓋体２３５が被嵌され、係止爪２３５ｅが軸受収納部２３４の内縁部に形成された係止溝２３４ｃに係入されることで蓋体２３５が軸受収納部２３４に装着される。
【００２８】
軸受収納部２３４に蓋体２３５を装着すると、蓋体リング部２３５ａの内面部に回転軸部２３１のガイド片２３３ｄが接し、蓋体リング部２３５ａとリング状軸受部２３２の端縁部が当接する。また、蓋体２３５の押え部２３５ｃにより可動係合部材収納部２３４ａに収納された可動係合部材２３３が押さえ付けられる（このため、前述したように係合コマ２３３ｂがなくともコイルバネ２３３ａだけで可動係合部材２３３の役目をする）。
【００２９】
ケース体１０を上下方向に回転させると、回転軸受部２３１がリング状軸受部２３２の内周面を摺接して回転する。このとき、回転軸受部２３１の回転角に応じた位置の位置決め係合部２３１ｃに、可動係合部材収納部２３４ａに収納された可動係合部材２３３が弾性的に係合する。俯角を変えたいときは、ケース体１０を押して所望角度に回転すると、可動係合部材２３３が現位置の位置決め係合部２３１ｃから外れ、回転を止めた位置の位置決め係合部２３１ｃに係合することになる。このようにして、ケース体１０の上下方向の俯角調整が行われる。
【００３０】
ケース体１０の回転角度（俯角）は所定角度範囲に規制されており、本実施形態では、図１に示す垂直位置から上方に仰向けとなるように９０度回転すると、回転軸受部２３１の回転に伴って回転規制係止片２３１ｅが、蓋体２３５の一方の回転規制係止突起２３５ｂ（ここでは蓋体リング部２３５ａの中間部に形成された回転規制係止突起２３５ｂ）と干渉し、ケース体１０を元の垂直位置に回転すると、他方の回転規制係止突起２３５ｂと干渉する。このように、蓋体２３５の回転規制係止突起２３５ｂ，２３５ｂは、ケース体１０の回転角度を規制する位置に設けられ、ケース体１０が所定角度以上に回転しないようにしている。
【００３１】
図８乃至図１０は、本発明の別の実施形態であり、可動係合部材２３３を収納する前記可動係合部材収納部２３４ａは、リング状軸受部２３２の切欠部２３２ａの端部近くに形成されており、この可動係合部材収納部２３４ａに押えカバー２３６が被着されている。押えカバー２３６は、図９に示すように、前面部２３６ａと左右両側面部２３６ｂを有する断面略コ字形の部材であり、前面部２３６ａに筒状の突起部２３６ｃが形成され、一方の側面部にガイドリブ２３６ｄが形成されている。
【００３２】
また、可動係合部材収納部２３４ａの一側部には、図１０に示すように、押えカバー２３６の前記ガイドリブ２３６ｂが係入する係入部２３６ｅが形成され、他側部には押えリブ２３６ｆが形成されており、これら係入部２３６ｅと押えリブ２３６ｆの間に押えカバー２３６の両側面部２３６ｂが挟持されている。
【００３３】
さらに、蓋体２３５の裏面部には、図８に示すように、押えカバー２３６の突起部２３６ｃと当接する押え部２３５ｃが形成されており（本実施形態では、リブ状の突起が横方向に複数本、並設されている）、蓋体２３５を軸受収納部２３４に被嵌したとき、押え部２３５ｃが突起部２３６ｃと当接して押えカバー２３６を可動係合部材収納部２３４ａに押え付けている。なお、この実施形態でも、可動係合部材２３３を構成する係合コマ２３３ｂは省略してもよい。その他の俯角調整部２０の構成は、上述した実施形態と同じであるから説明を省略する。
【００３４】
上述した実施形態は本発明の一例を示したに過ぎず、俯角調整部２０の構成は、本発明の特許請求の範囲に記載された範囲内で任意に変更することができる。また、支持本体１やケース体１０も図示した形態に限定されるものではなく、俯角調整部を有するあらゆるサーキュレーターに適用することができる。
【符号の説明】
【００３５】
１    支持本体
２    基台
１０  ケース体
１０１  前面パネル
１２２  補強パネル
１０２  後面パネル
１１  脚部
２０  俯角調整部
２３１  回転軸部
２３１ａ  リング部
２３１ｂ  円板部
２３１ｃ  位置決め係合部
２３１ｅ  回転規制係止片
２３２  リング状軸受部
２３３  可動係合部材
２３４  軸受収納部
２３４ａ  可動係合部材収納部
２３５  蓋体
２３５ａ  リング部
２３５ｂ  回転規制係止突起
２３５ｃ  押え部
【図１】
2014215034.tif 000003
【図２】
2014215034.tif 000004
【図３】
2014215034.tif 000005
【図４】
2014215034.tif 000006
【図５】
2014215034.tif 000007
【図６】
2014215034.tif 000008
【図７】
2014215034.tif 000009
【図８】
2014215034.tif 000010
【図９】
2014215034.tif 000011
【図１０】
2014215034.tif 000012